(57)【要約】【課題】比較照合する装置上に照合データを保持しなくても、迅速かつ的確な認証を可能とする個人認証システム、個人認証方法を提供する。【解決手段】個人認証システム１０は、利用者の例えば指紋などの生体情報に基づいて個人認証を行うシステムであり、利用者が身につけている発信装置１００と、生体情報の照合を行う照合装置１１０とを備えている。そして、両装置は送信すべき情報に基づく電界を電界伝達媒体である生体に誘起させ、この電界を検出して情報の送受信を行うトランシーバ３をそれぞれ用いて、生体情報を送受信するようになっている。発信装置１００は、利用者の予め登録された生体データ（以下、登録データとよぶ。）を所持し、認証時にこの登録データをトランシーバ３ａを介して照合装置１１０に送信し、照合装置１１０は、入力された生体情報と発信装置１００から送信された登録データとを比較照合する。【選択図】　　　図１
2004126698.tif 000002
【特許請求の範囲】
【請求項１】
個人認証を行う際の判断基準となる生体情報を予め記憶している生体情報記憶手段と、前記判断基準となる生体情報を送信する送信器と、を備える発信装置と、
前記送信器から送信された前記判断基準となる生体情報を受信する受信器と、生体情報を入力する生体情報入力手段と、前記判断基準となる生体情報と入力された生体情報とを比較し、照合する比較照合手段と、を備える照合装置と、
を有することを特徴とする個人認証システム。
【請求項２】
送信すべき情報に基づく電界を電界伝達媒体である生体に誘起させるとともにこの誘起された電界を検出して情報の送受信を行う第１および第２のトランシーバを用いて生体情報を送受信し、該生体情報に基づいて個人認証を行う個人認証システムであって、
個人認証を行う際の判断基準となる生体情報を予め記憶している生体情報記憶手段と、前記判断基準となる生体情報を前記生体を介して前記第２のトランシーバに送信する前記第１のトランシーバと、を備えた発信装置と、
前記第１のトランシーバから送信された前記判断基準となる生体情報を前記生体を介して受信する前記第２のトランシーバと、生体情報を入力する生体情報入力手段と、前記第２のトランシーバから受信した前記判断基準となる生体情報と入力された生体情報とを比較し、照合する比較照合手段と、を備えた照合装置と、
を有することを特徴とする個人認証システム。
【請求項３】
前記判断基準となる生体情報は、
前記発信装置が、前記生体情報入力手段で入力された生体情報を前記第１、第２のトランシーバおよび前記生体を介して、受信して、前記生体情報記憶手段に記憶することを特徴とする請求項２記載の個人認証システム。
【請求項４】
前記判断基準となる生体情報は、
前記発信装置が、前記生体情報入力手段で入力された生体情報を前記第１、第２のトランシーバおよび前記生体を介した通信経路とは異なった通信経路を介して受信して、前記生体情報記憶手段に記憶することを特徴とする請求項２記載の個人認証システム。
【請求項５】
前記生体情報は、
さらに、前記照合装置を一意に定める識別情報を有することを特徴とする請求項１乃至４のいずれかに記載の個人認証システム。
【請求項６】
利用者が装着した送信装置と前記利用者の個人認証を行う照合装置とを備えたコンピュータシステムにおける個人認証方法であって、
前記照合装置は、
前記利用者により入力された生体情報を受け付ける入力ステップと、
前記生体情報が入力されるときを契機として、前記送信装置に備えられ、個人認証を行う際の判断基準となる生体情報を予め記憶している生体情報記憶手段から、前記判断基準となる生体情報を受信する受信ステップと、
前記判断基準となる生体情報と前記入力された生体情報とを比較し、照合する比較照合ステップと、
を実行することを特徴とする個人認証方法。
【請求項７】
前記コンピュータシステムは、
送信すべき情報に基づく電界を電界伝達媒体である生体に誘起させるとともに、この誘起された電界を検出して情報の送受信を行う１対のトランシーバをそれぞれ前記送信装置および前記照合装置に備えることにより、前記利用者の生体を介して生体情報を送受信することを特徴とする請求項６記載の個人認証方法。
【発明の詳細な説明】
【０００１】
【発明の属する技術分野】
本発明は、個人認証システム、個人認証方法に関し、特に、送信すべき情報に基づく電界を電界伝達媒体に誘起させるとともに、電界伝達媒体に誘起された電界を検出して情報の送受信を行うトランシーバを用いた個人認証システム、個人認証方法に関する。
【０００２】
【従来の技術】
携帯端末の小型化および高性能化によりウェアラブルコンピュータが注目されているが、図８はこのようなウェアラブルコンピュータを人間に装着して使用する場合の例を示している。同図に示すように、ウェアラブルコンピュータ１はそれぞれトランシーバ３を介して人間の腕、肩、胴体などに装着されて互いにデータの送受信を行うとともに、更に壁や床などに手足で触れられるよう設置されたトランシーバ３ａ、３ｂとケーブルとを介して外部に設けられたパソコン（ＰＣ）５と通信を行うようになっている。
【０００３】
そして、このようなウェアラブルコンピュータ１間、およびウェアラブルコンピュータ１とＰＣ５とのデータ通信に使用されるトランシーバ３は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行っている。
【０００４】
ところで、近年、例えば指紋などの生体情報を基に個人認証を行う個人認証装置が広く利用されているが、このような個人認証装置は、個人認証装置側に予め本人の生体情報を照合データとして保存し、この照合データと入力された生体情報を照合して、個人認証を行っている。
【０００５】
尚、この出願の関連する先行技術文献情報としては、次のものがある。
【０００６】
【特許文献１】
特開２００１−３５２２９８公報
【０００７】
【発明が解決しようとする課題】
しかし、上述した個人認証装置においては、一つの入力データと登録されたすべての照合データとの間で比較照合を行うため、照合データの登録数が多いと、認証に時間を要するという問題がある。
【０００８】
また、登録された照合データが多いほど、入力データと同様な特徴を有する照合データも増えるため、一致する確率が高まり、誤認率が高くなるという問題がある。
【０００９】
さらに、登録された照合データを認証サーバ側で一括管理し、利用者は利用者端末側で生体情報の入力を行うというネットワーク型のシステム構成においては、認証サーバと利用者端末間にネットワークインフラを予め構築しなければならないという問題がある。
【００１０】
本発明は、上記に鑑みてなされたものであり、比較照合する装置上に照合データを保持しなくても、迅速かつ的確な認証を可能とする個人認証システム、個人認証方法を提供することを目的とする。
【００１１】
また、送信すべき情報に基づく電界を電界伝達媒体に誘起させるとともに、電界伝達媒体に誘起された電界を検出して情報の送受信を行うトランシーバを用いることにより、予めネットワークインフラを構築しなくても、迅速かつ的確な認証が可能な個人認証システム、個人認証方法を提供することを目的とする。
【００１２】
【課題を解決するための手段】
上記目的を達成するため、請求項１記載の本発明の個人認証システムは、個人認証を行う際の判断基準となる生体情報を予め記憶している生体情報記憶手段と、前記判断基準となる生体情報を送信する送信器と、を備える発信装置と、前記送信器から送信された前記判断基準となる生体情報を受信する受信器と、生体情報を入力する生体情報入力手段と、前記判断基準となる生体情報と入力された生体情報とを比較し、照合する比較照合手段と、を備える照合装置と、を有することを要旨とする。
【００１３】
請求項１記載の本発明にあっては、照合装置は、発信装置の送信器から送信された判断基準となる生体情報と入力された生体情報とを比較し、照合することにより、個人認証を行う。これにより、照合装置に個人認証を行う際の判断基準となる生体情報を予め記憶しておかなくても、迅速かつ的確に個人認証を行うことができる。
【００１４】
請求項２記載の本発明は、送信すべき情報に基づく電界を電界伝達媒体である生体に誘起させるとともにこの誘起された電界を検出して情報の送受信を行う第１および第２のトランシーバを用いて生体情報を送受信し、該生体情報に基づいて個人認証を行う個人認証システムであって、個人認証を行う際の判断基準となる生体情報を予め記憶している生体情報記憶手段と、前記判断基準となる生体情報を前記生体を介して前記第２のトランシーバに送信する前記第１のトランシーバと、を備えた発信装置と、前記第１のトランシーバから送信された前記判断基準となる生体情報を前記生体を介して受信する前記第２のトランシーバと、生体情報を入力する生体情報入力手段と、前記第２のトランシーバから受信した前記判断基準となる生体情報と入力された生体情報とを比較し、照合する比較照合手段と、を備えた照合装置と、を有することを要旨とする。
【００１５】
請求項２記載の本発明にあっては、送信すべき情報に基づく電界を電界伝達媒体である生体に誘起させるとともにこの誘起された電界を検出して情報の送受信を行うトランシーバが生体情報の送受信をするので、照合装置は、発信装置のトランシーバから生体を介して送信された判断基準となる生体情報と入力された生体情報とを比較し、照合することにより、個人認証を行う。これにより、照合装置に個人認証を行う際の判断基準となる生体情報を予め記憶しておかなくても、迅速かつ的確に個人認証を行うことができるとともに、予めネットワークインフラを用意しなくても、前記トランシーバを用いることにより、個人認証システムを構築することができる。
【００１６】
請求項３記載の本発明は、請求項２記載の発明において、前記判断基準となる生体情報は、前記発信装置が、前記生体情報入力手段で入力された生体情報を前記第１、第２のトランシーバおよび前記生体を介して、受信して、前記生体情報記憶手段に記憶することを要旨とする。
【００１７】
請求項３記載の本発明にあっては、照合装置の生体情報入力手段で入力された生体情報を第１、第２のトランシーバおよび生体を介して、発信装置が受信し、判断基準となる生体情報として生体情報記憶手段に記憶する。これにより、照合装置は、個人認証を行う際の照合機能の他、判断基準となる生体情報の登録機能を有するとともに、第１および第２のトランシーバを介して発信装置に判断基準となる生体情報を送信することができる。
【００１８】
請求項４記載の本発明は、請求項２記載の発明において、前記判断基準となる生体情報は、前記発信装置が、前記生体情報入力手段で入力された生体情報を前記第１、第２のトランシーバおよび前記生体を介した通信経路とは異なった通信経路を介して受信して、前記生体情報記憶手段に記憶することを要旨とする。
【００１９】
請求項４記載の本発明にあっては、照合装置の生体情報入力手段で入力された生体情報を第１、第２のトランシーバおよび生体を介した通信経路とは異なった通信経路を介して、発信装置が受信し、判断基準となる生体情報として生体情報記憶手段に記憶する。これにより、照合装置は、第１、第２のトランシーバおよび生体を介した通信経路とは異なった通信経路により、判断基準となる生体情報を発信装置に送信することができる。
【００２０】
請求項５記載の本発明は、請求項１乃至４記載の発明において、前記生体情報は、さらに、前記照合装置を一意に定める識別情報を有することを要旨とする。
【００２１】
請求項５記載の本発明にあっては、生体情報には、照合装置を一意に定める識別情報が含まれているので、比較照合手段では照合装置を一意に定める識別情報も加味して比較照合される。これにより、複数の照合器を有する個人認証システムにおいて、照合器ごとの利用者権限を定めることができる。
【００２２】
請求項６記載の本発明は、利用者が装着した送信装置と前記利用者の個人認証を行う照合装置とを備えたコンピュータシステムにおける個人認証方法であって、前記照合装置は、前記利用者により入力された生体情報を受け付ける入力ステップと、前記生体情報が入力されるときを契機として、前記送信装置に備えられ、個人認証を行う際の判断基準となる生体情報を予め記憶している生体情報記憶手段から、前記判断基準となる生体情報を受信する受信ステップと、前記判断基準となる生体情報と前記入力された生体情報とを比較し、照合する比較照合ステップと、を実行することを要旨とする。
【００２３】
請求項６記載の本発明にあっては、照合装置は、利用者により入力された生体情報を受け付け、生体情報が入力されるときを契機として送信装置から送信された判断基準となる生体情報を受信し、判断基準となる生体情報と入力された生体情報とを比較し、照合し、個人認証を行う。これにより、照合装置に個人認証を行う際の判断基準となる生体情報を予め記憶しておかなくても、迅速かつ的確に個人認証を行うことができる。
【００２４】
請求項７記載の本発明は、請求項６記載の発明において、前記コンピュータシステムは、送信すべき情報に基づく電界を電界伝達媒体である生体に誘起させるとともに、この誘起された電界を検出して情報の送受信を行う１対のトランシーバをそれぞれ前記送信装置および前記照合装置に備えることにより、前記利用者の生体を介して生体情報を送受信することを要旨とする。
【００２５】
請求項７記載の本発明にあっては、送信すべき情報に基づく電界を電界伝達媒体である生体に誘起させるとともにこの誘起された電界を検出して情報の送受信を行う１対のトランシーバをそれぞれ送信装置および照合装置に備えていて、利用者の生体を介して生体情報を送受信する。これにより、予めネットワークインフラを用意しなくても、前記トランシーバを用いることにより、簡単に個人認証システムを構築することができる。
【００２６】
【発明の実施の形態】
以下、本発明の実施の形態を図面を用いて説明する。
【００２７】
図１は、本発明の第１の実施形態に係る個人認証システム１０の構成を示す図である。個人認証システム１０は、利用者の例えば指紋などの生体情報に基づいて、個人認証を行うシステムであり、利用者が身につけている発信装置１００と、生体情報の照合を行う照合装置１１０とを備えている。そして、両装置は送信すべき情報に基づく電界を電界伝達媒体である生体に誘起させるとともに、生体に誘起された電界を検出して情報の送受信を行うトランシーバ３をそれぞれ用いて、生体情報を送受信するようになっている。
【００２８】
ここで、トランシーバ３は、詳しくは、図２に示すように、コンピュータからの送信データを入出力（Ｉ／Ｏ）回路３０１を介して受け取ると、この送信データを送信部３０２を介して送受信電極３０３に供給し、該送受信電極３０３および絶縁膜３０４を介して生体に電界を誘起させ、この電界を生体の他の部位に伝達させるようになっている。
【００２９】
また、トランシーバ３は、生体に誘起されて伝達されてくる電界を絶縁膜３０４を介して送受信電極３０３で検出し、この電界を電界検出光学部３０５に結合して電気信号に変換するようになっている。そして、この電気信号は、信号処理回路３０６で増幅、雑音除去などの信号処理を施され、更に波形整形回路３０７で波形整形されてから、入出力（Ｉ／Ｏ）回路３０１を介してコンピュータに出力されるようになっている。
【００３０】
従って、発信装置１００を身につけた利用者の生体が照合装置１１０に触れることにより、発信装置１００と照合装置１１０は相互に通信が可能となっている。
【００３１】
発信装置１００は、利用者の予め登録された生体データ（以下、登録データとよぶ。）を個人認証の際の判断基準となるデータとして所持し、認証時にこの登録データをトランシーバ３ａを介して照合装置１１０に送信する装置であり、記憶装置１０１と送受信器１０２とトランシーバ３ａとを有する構成となっている。
【００３２】
記憶装置１０１は、登録データを記憶している装置であり、記憶装置１０１と接続されている送受信器１０２は、記憶装置１０１から登録データを読み出し、トランシーバ３ａを介して照合装置１１０に送信する装置である。また、送受信器１０２は、照合装置１１０から送信される登録データをトランシーバ３ａを介して受信し、記憶装置１０１に書き込む装置である。
【００３３】
照合装置１１０は、入力された生体情報から作成された符号データと発信装置１００から送信された登録データとを比較照合する装置であり、入力器１１１、符号化器１１２、登録器１１３、送受信器１１４、照合器１１５、及びトランシーバ３ｂを有する構成となっている。尚、照合装置１１０においては、利用者が入力器１１１に触れるとトランシーバ３ｂにも触れるような構成となっている。
【００３４】
入力器１１１は、利用者の生体が接触することにより、利用者の生体情報を入力する装置であり、符号化器１１２は、この入力された生体情報を生体情報の特徴量に応じた符号データとするものである。そして、登録器１１３は、生体情報のデータ登録時に機能するものであり、符号化器１１２で生成された符号データを送受信器１１４に送信する装置である。送受信器１１４は、符号化器１１２から送信された符号データをトランシーバ３ｂを介して発信装置１００に送信する装置であり、また、発信装置１００から送信される登録データをトランシーバ３ｂを介して受信し、照合器１１５に送信する装置である。照合器１１５は、符号器１１２からの符号データと送受信器１１４からの登録データを比較照合する装置であり、この照合結果により同一性が認められる場合には、所望の動作指示を行うようになっている。
【００３５】
次に、本実施の形態の個人認証システム１０の動作を図３および４を用いて説明する。尚、図３は、登録処理を説明するシーケンス図であり、図４は認証処理を説明するシーケンス図である。
【００３６】
まず、登録処理について説明する。この登録処理は本システムで認証処理を受ける前に利用者が行うべきものであり、まず、利用者は、照合装置１１０をデータ登録装置として機能させるべく、登録モードの選択をする。これにより、照合装置１１０の登録器１１３が作動し、データ登録が可能な状態となる（ステップＳ１０、Ｓ２０）。
【００３７】
次に、利用者は、入力器１１１に生体を接触させ、生体情報を入力する（ステップＳ３０、Ｓ５０）。これにより、トランシーバ３ａ、３ｂおよび生体を介した通信路が確立する（ステップＳ４０）。一方、入力器１１１から入力された生体情報は符号化され、登録器１１３により、符号データは、発信装置１００に送信される（ステップＳ６０、Ｓ７０）。
【００３８】
符号データを受信した発信装置１００は、この符号データを登録データとして記憶装置１０１に登録する（ステップＳ８０、９０）。尚、上記の動作は、利用者の生体が入力器１１１に触れている間に行われるものであり、利用者の生体が入力器１１１から離れると、トランシーバ３ａおよび３ｂを介した通信路は切断するので、登録データの送信は行われない（ステップＳ１００、Ｓ１１０）。この場合、再接続による登録データの送信も可能である。
【００３９】
尚、上記の登録処理においては、登録データを作成する契機を、登録モードを選択する行為としているが、登録データを作成する契機については、この方法に限定されず、他の方法、例えば、記憶装置１０１に登録データが存在しない場合には、照合装置１１０がその旨の情報を受け取り、これにより、登録器１１３が機能するようにしてもよい。
【００４０】
次に、認証処理について説明する。利用者が、入力器１１１に生体を接触させ、生体情報を入力すると、登録処理の場合と同様に、トランシーバ３ａ、３ｂおよび生体を介した通信路が確立する（ステップＳ２００、Ｓ２１０）。これにより、発信装置１００は記憶装置１０１に記憶されている登録データを照合装置１１０に送信する（ステップＳ２２０、Ｓ２３０）。
【００４１】
一方、入力器１１１から入力された生体情報は符号化され、照合器１１５において、この符号化された符号データと受信した登録データを比較照合する（ステップＳ２４０〜Ｓ２６０）。そして、比較照合した結果、両データが同一であると判断した場合には、利用者を本人であると認証し、同一でないと判断した場合には、本人であると認証しない（ステップＳ２８０、Ｓ２９０）。
【００４２】
尚、上記の認証処理における登録データの送信は、利用者の生体が入力器１１１に触れている間に行われるものであり、利用者の生体が入力器１１１から離れると、トランシーバ３ａおよび３ｂを介した通信路は切断し、登録データの送信が完了しないので、上記認証処理は行われない（ステップＳ３００、Ｓ３１０）。
【００４３】
図５は本実施の形態の個人認証システム１０の一例を示しており、個人認証の結果、扉の開錠を行う入退室管理システム４０を説明する図である。この入退室管理システム４０においては、入力器は、指紋を入力する指紋入力装置１１１となっており、指紋入力装置１１１に触れると、記憶装置１０１に登録された指紋データがトランシーバ３ａ、３ｂを介して送信され、照合器１１５において入力された指紋データと登録された指紋データとを比較照合し、両データの同一性が確認される場合には、扉の開錠を行うようになっている。
【００４４】
ここで、照合装置は錠付き扉１４０に設置されているが、照合装置はこれ以外の構成や形態であってもよく、例えば、ネットワーク型の分散された装置とし、錠付き扉には指紋入力装置１１１およびトランシーバ３ｂをはじめとする一部の装置だけが設置されているような機器構成としてもよい。
【００４５】
従って、本実施の形態の個人認証システム１０によれば、送信すべき情報に基づく電界を電界伝達媒体に誘起させるとともに、電界伝達媒体に誘起された電界を検出して情報の送受信を行うトランシーバ３を用いることにより、発信装置１００と照合装置１１０間で生体を介した生体情報の通信が可能となり、照合装置１１０は、発信装置１００から送信された判断基準となる生体情報と入力された生体情報とを比較照合し、個人認証を行うことができるので、照合装置１１０に個人認証を行う際の判断基準となる生体情報を予め記憶しておかなくても、迅速かつ的確に個人認証を行うことができる。
【００４６】
また、上記トランシーバ３を用いることにより、予め個人認証システムのためのネットワークインフラを用意する必要はないので、簡単に個人認証システムを構築することができる。
【００４７】
＜第２の実施の形態＞
図６は、本発明の第２の実施の形態に係る個人認証システム２０である。本実施の形態の個人認証システム２０は、第１の実施の形態の個人認証システム１０の符号データに照合装置１２０を識別する識別コードを付加してデータ照合を行うため、複数の照合装置１２０における利用者権限を照合装置１２０ごとに設定することができるシステムである。尚、本実施の形態においては、第１の実施の形態と異なる構成及び機能のみ説明し、その他の構成及び機能に関しては同一部分には同一符号を付して説明を省略する。
【００４８】
照合装置１２０の符号化器１２１は、入力器１１１を介して入力された生体情報に識別コードを付加して、符号化する装置であり、これにより、登録時においては、この識別コードが付加された符号データを登録データとして、発信装置１００に送信するものであり、また、照合時においては、入力された生体情報にこの識別コードを付加した符号データを照合器１１５に送信するものである。そして、照合器１１５においては、登録データおよび符号データともに識別コードが付加された状態で比較照合が行われるようになっている。
【００４９】
従って、本実施の形態の個人認証システム２０によれば、第１の実施の形態の個人認証システム１０の効果に加えて、同一の識別コードを付与した照合器１２１でしか符号データと登録データの同一性は認められないので、複数の照合器１２１ごとに利用者権限を決めることができる。
【００５０】
例えば、上述した入退室管理システム４０の場合においては、利用者は扉ごとに複数の登録データを所持することが可能となるので、扉ごとに利用者の入退室管理をきめ細かく設定することができる。また、複数の照合装置１２０を識別コードによりグループ化することも可能であり、これにより、グループ化された扉ごとに利用者権限を定めることもできる。
【００５１】
＜その他の実施の形態＞
以上、本発明の実施の形態について説明してきたが、本発明の要旨を逸脱しない範囲において、本発明の実施の形態に対して種々の変形や変更を施すことができる。例えば、上記実施の形態の個人認証システム１０および２０においては、登録データを発信装置１００に登録する際には、トランシーバ３ａおよび３ｂを介した通信により、発信装置１００の記憶装置１０１に登録するようにしていたが、本発明はこれに限定されず、図７に示すようにトランシーバ３ａおよび３ｂを介さずに、有線、無線などの別系統の通信により登録データを直接記憶装置１０１に送信するようにしてもよい。
【００５２】
また、照合時における発信装置と照合装置との通信は、電界伝達媒体を介して行う通信であったが、発信装置側に登録データを所持し、照合装置にこの登録データを送信し、照合装置に入力された生体データと登録データを照合するという方法においては、通信媒体は電界伝達媒体に限定されず、その他の媒体、例えば無線であってもよいし、有線であってもよい。そして、この場合においては、入力される生体情報は、入力器と接触することによって読み取られる生体情報である必要はなく、非接触であっても読み取り可能な生体情報、例えば、虹彩情報、声紋情報、網膜パターン情報などであってもよい。
【００５３】
【発明の効果】
以上説明したように、本発明によれば、照合装置は、発信装置から送信された判断基準となる生体情報と入力された生体情報とを比較し、照合することにより、個人認証を行うので、照合装置に個人認証を行う際の判断基準となる生体情報を予め保持しなくても、迅速かつ的確に個人認証を行うことができる。
【００５４】
また、送信すべき情報に基づく電界を電界伝達媒体に誘起させるとともに、電界伝達媒体に誘起された電界を検出して情報の送受信を行うトランシーバを用いて生体情報のやりとりが可能なので、予めネットワークインフラを構築しなくても、迅速かつ的確に個人認証を行うことができる。
【図面の簡単な説明】
【図１】本発明の第１の実施の形態に係る個人認証システムの概略構成図である。
【図２】本発明の個人認証システムに用いられるトランシーバの構成図である。
【図３】本発明の第１の実施の形態に係る個人認証システムの登録処理を説明するシーケンス図である。
【図４】本発明の第１の実施の形態に係る個人認証システムの認証処理を説明するシーケンス図である。
【図５】本発明の第１の実施の形態に係る個人認証システムの適用例である入退室管理システムを説明する図である。
【図６】本発明の第２の実施の形態に係る個人認証システムの概略構成図である。
【図７】本発明のその他の実施の形態に係る個人認証システムの概略構成図である。
【図８】トランシーバを介してウェアラブルコンピュータを人間に装着して使用する場合の例を示す説明図である。
【符号の説明】
１　ウェアラブルコンピュータ
３　トランシーバ
５　ＰＣ
１０，２０，３０，４０　個人認証システム
１００　発信装置
１０１　記憶装置
１０２，１１４　送受信器
１１０，１２０　照合装置
１１１　入力器
１１２，１２１　符号化器
１１３　登録器
１１５　照合器
１１６　開錠制御器
１４０　錠付き扉
３０１　Ｉ／Ｏ回路
３０２　送信部
３０３　送受信電極
３０４　絶縁膜
３０５　電界検出光学部
３０６　信号処理回路
３０７　波形整形回路
【図１】
2004126698.tif 000003
【図２】
2004126698.tif 000004
【図３】
2004126698.tif 000005
【図４】
2004126698.tif 000006
【図５】
2004126698.tif 000007
【図６】
2004126698.tif 000008
【図７】
2004126698.tif 000009
【図８】
2004126698.tif 000010